(57)【要約】      （修正有）【課題】人が立ち上がる際に自身の身体を支えるための補助手摺りにおいて、その脚部の内側空間を物品置き場等として有効利用できるようにする。【解決手段】補助手摺り１は、水平バー２１と、この水平バー２１の前後左右の四方位から下方向で斜め外向きに延びて裾広がりになるように取り付けられる四本の脚部３と、この四本の脚部３で囲まれる内部空間において上下方向の途中に着脱可能に取り付けられて物品が載せられる棚４と、を備える。棚４は、矩形状のシート４１と、このシート４１の四隅に外向きに突出するように設けられかつ四本の脚部３に個別に巻き付け装着される四つの取付片４３と、この四つの取付片４３とシート４１の四隅付近とに振り分けて設けられかつ各取付片４３を各脚部３に巻き付け装着した状態を保つように互いに離脱可能に係止される留め具４４と受け具４５と、を有する。【選択図】図１
2019042197.tif 000002
【特許請求の範囲】
【請求項１】
人が立ち上がる際に自身を支えるように手で掴むための補助手摺りであって、
水平バーと、この水平バーの前後左右の四方位から下方向で斜め外向きに延びて裾広がりになるように取り付けられる四本の脚部と、この四本の脚部で囲まれる内部空間において上下方向の途中に着脱可能に取り付けられて物品が載せられる棚と、を備え、
前記棚は、矩形状のシートと、このシートの四隅に外向きに突出するように設けられかつ前記四本の脚部に個別に巻き付け装着される四つの取付片と、この四つの取付片と前記シートの四隅付近とに振り分けて設けられかつ前記各取付片を前記各脚部に巻き付け装着した状態を保つように互いに離脱可能に係止される留め具と受け具と、を有することを特徴とする補助手摺り。
【請求項２】
請求項１に記載の補助手摺りにおいて、
前記棚は、前記矩形状のシートの片面において対向する第１、第２の辺それぞれの内側に二つの帯状紐が沿わされるとともに、当該二つの帯状紐の各両端が前記第１、第２の辺に直交する第３、第４の辺よりも外側に突出されるように配置された状態で縫い付けられており、
前記二つの帯状紐の露呈面において前記両端寄りの外側位置と当該外側位置から内側に離隔する内側位置とに、前記留め具および受け具がそれぞれ振り分けて取り付けられており、
前記二つの帯状紐の各突出部分が前記取付片とされている、ことを特徴とする補助手摺り。
【請求項３】
請求項１または２に記載の補助手摺りにおいて、
前記留め具および受け具は、一対のホックボタンとされる、ことを特徴とする補助手摺り。
【請求項４】
請求項１または２に記載の補助手摺りにおいて、
前記留め具および受け具は、一対の面ファスナーとされる、ことを特徴とする補助手摺り。
【請求項５】
請求項１に記載の補助手摺りにおいて、
前記棚は、前記矩形状のシートの四つの辺に上向きに立ち上がるとともに互いに結合される四つの立壁部が設けられている、ことを特徴とする補助手摺り。
【請求項６】
人が立ち上がる際に自身を支えるように手で掴むための補助手摺りであって、
水平バーと、この水平バーから下方向に斜め外向きに延びて裾広がりになるように取り付けられる少なくとも三本の脚部と、これらの脚部で囲まれる内部空間において上下方向の途中に着脱可能に取り付けられて物品が載せられる棚と、を備え、
前記棚は、シートと、このシートの各隅に外向きに突出するように設けられかつ前記各脚部に個別に巻き付け装着される取付片と、この各取付片と前記シートの各隅付近とに振り分けて設けられかつ前記各取付片を前記各脚部に巻き付け装着した状態を保つように互いに離脱可能に係止される留め具と受け具と、を有することを特徴とする補助手摺り。
【発明の詳細な説明】
【技術分野】
【０００１】
本発明は、人が立ち上がる際に自身の身体を支えるための補助手摺りに関する。
【背景技術】
【０００２】
従来のこの種の補助手摺りとして、例えば特許文献１が知られている。この特許文献１に示す補助手摺りは、ベース上に二本の支柱を立てて、この二本の支柱の上下方向の三ヶ所に横向きの矩形ループを取り付けた構成である。
【先行技術文献】
【特許文献】
【０００３】
【特許文献１】特開２０１３−２２０２７４号公報
【発明の概要】
【発明が解決しようとする課題】
【０００４】
上記特許文献１に示す補助手摺りは、その二本の支柱の対向空間や三つの矩形ループそれぞれの対向空間を有効利用するようにはなっていない。
【０００５】
この補助手摺りは、室内に配置されるものであるが、当該補助手摺りを利用する人（例えば高齢者や身体障害者）に関係する物品（例えばティッシュボックス、眼鏡、携帯電話など）が室内において前記補助手摺りから遠い位置に点々と配置されていると、前記補助手摺りを利用する人にとっては前記各物品を取りに行くことが面倒である。
【０００６】
そこで、前記物品を前記補助手摺りの近傍にまとめて配置することが好ましいが、そのようにするには、図示していないが、前記補助手摺りの近傍に、前記各物品をまとめて収納するための収納体を配置することが考えられる。しかしながら、前記のような収納体は前記補助手摺りと別体であるために、前記補助手摺りの側方に配置する必要があるなど、邪魔になることが懸念される。このことから、本願発明者は、前記のような補助手摺りの二本の支柱の対向空間や三つの矩形ループそれぞれの対向空間を有効利用することを鋭意研究した。
【０００７】
ところで、前記補助手摺りとは全く異なる分野であるが、例えば参考文献１（実用新案登録第３０５３０２０号公報）には、カメラの三脚を広げて立てた状態において前記三脚が風などによって倒れないように安定化させるための三脚安定用バッグが記載されており、また、参考文献２（実用新案登録第３０５６７２９号公報）には、カメラの三脚を束ねた状態で保持して持ち運びできるようにするとともに、前記三脚を広げて立てた状態で安定化させるための三脚携帯具が記載されている。
【０００８】
前記参考文献１の三脚安定用バッグは、三角袋状の網製のバッグ本体を有し、その三隅に前記三脚の脚部それぞれに取り付けるためのバンド体を設けた構成になっている。前記バンド体は、一対の係着部を設けた構成である。
【０００９】
この三脚安定用バッグは、カメラの三脚を広げて立てた状態において前記三脚で囲まれる内部空間に配置されるように当該三脚に取り付けられるようになっていて、前記バッグ本体の収納部に錘となる石や交換レンズなどを収納できるようになっている。
【００１０】
また、前記参考文献２の三脚携帯具は、三角形状の柔軟な容器状に形成されており、その三隅に前記三脚の脚部それぞれに取り付けるための係止手段を設けた構成になっている。前記係止手段は、受け具と留め具とで構成されている。
【００１１】
このような参考文献１に示す三脚安定用バッグおよび参考文献２に示す三脚携帯具は、いずれも使用対象をカメラの三脚に限定した考案であるために、それ以外の用途に使用することは考えられるものではない。つまり、参考文献１，２の部材を、前記補助手摺りの脚部で囲まれる内部空間を有効利用するために使用するという技術思想については容易に発想できるものではない。
【００１２】
このような事情に鑑み、本発明は、人が立ち上がる際に自身の身体を支えるための補助手摺りにおいて、その脚部の内側空間を物品置き場等として有効利用できるようにすることを目的としている。
【課題を解決するための手段】
【００１３】
本発明は、人が立ち上がる際に自身を支えるように手で掴むための補助手摺りであって、水平バーと、この水平バーの前後左右の四方位から下方向で斜め外向きに延びて裾広がりになるように取り付けられる四本の脚部と、この四本の脚部で囲まれる内部空間において上下方向の途中に着脱可能に取り付けられて物品が載せられる棚と、を備え、前記棚は、矩形状のシートと、このシートの四隅に外向きに突出するように設けられかつ前記四本の脚部に個別に巻き付け装着される四つの取付片と、この四つの取付片と前記シートの四隅付近とに振り分けて設けられかつ前記各取付片を前記各脚部に巻き付け装着した状態を保つように互いに離脱可能に係止される留め具と受け具と、を有することを特徴としている。
【００１４】
この構成では、前記棚の上に、本発明に係る補助手摺りを利用する人（例えば高齢者や身体障害者）に関係する物品（例えばティッシュボックス、眼鏡、携帯電話など）を載せることが可能になる。これにより、前記四本の脚部で囲まれる内部空間に前記物品をまとめて配置することが可能になるから、前記補助手摺りを利用する人の使い勝手が向上する他、上記「発明が解決するための課題」において説明したように前記補助手摺りの近傍に収納体などの邪魔な物を配置する必要が無くなる。
【００１５】
また、前記棚が前記留め具と受け具とによって前記補助手摺りに着脱可能となるようにしているから、前記棚を前記補助手摺りに比較的簡単に取り付けることが可能になるとともに、前記棚を前記補助手摺りから比較的簡単に取り外すことが可能になる。
【００１６】
ところで、上記補助手摺りにおいて、前記棚は、前記矩形状のシートの片面において対向する第１、第２の辺それぞれの内側に二つの帯状紐が沿わされるとともに、当該二つの帯状紐の各両端が前記第１、第２の辺に直交する第３、第４の辺よりも外側に突出されるように配置された状態で縫い付けられており、前記二つの帯状紐の露呈面において前記両端寄りの外側位置と当該外側位置から内側に離隔する内側位置とに、前記留め具および受け具がそれぞれ振り分けて取り付けられており、前記二つの帯状紐の各突出部分が前記取付片とされている、ことが好ましい。
【００１７】
この構成では、前記棚の具体構成を特定している。これにより、前記棚が比較的簡単かつ安価に製作されるものであることが明らかになるので、補助手摺りの製作コストの上昇を抑制するうえで有利になる。
【００１８】
また、前記留め具および受け具は、一対のホックボタンとすることができる。また、前記留め具および受け具は、一対の面ファスナーとすることができる。
【００１９】
また、上記補助手摺りにおいて、前記棚は、前記矩形状のシートの四つの辺に上向きに立ち上がるとともに互いに結合される四つの立壁部が設けられている、ことが好ましい。
【００２０】
この構成では、前記棚が有底角筒形状になっているから、その内側に物品をすっぽりと収納することが可能になり、それに伴い前記収納した物品が外にこぼれ落ちにくくなる。
【００２１】
また、本発明は、人が立ち上がる際に自身を支えるように手で掴むための補助手摺りであって、水平バーと、この水平バーから下方向に斜め外向きに延びて裾広がりになるように取り付けられる少なくとも三本の脚部と、これらの脚部で囲まれる内部空間において上下方向の途中に着脱可能に取り付けられて物品が載せられる棚と、を備え、前記棚は、シートと、このシートの各隅に外向きに突出するように設けられかつ前記各脚部に個別に巻き付け装着される取付片と、この各取付片と前記シートの各隅付近とに振り分けて設けられかつ前記各取付片を前記各脚部に巻き付け装着した状態を保つように互いに離脱可能に係止される留め具と受け具と、を有することを特徴としている。
【００２２】
この構成では、前記棚の上に、本発明に係る補助手摺りを利用する人（例えば高齢者や身体障害者）に関係する物品（例えばティッシュボックス、眼鏡、携帯電話など）を載せることが可能になる。これにより、前記少なくとも三本の脚部で囲まれる内部空間に前記物品をまとめて配置することが可能になるから、前記補助手摺りを利用する人の使い勝手が向上する他、上記「発明が解決するための課題」において説明したように前記補助手摺りの近傍に収納体などの邪魔な物を配置する必要が無くなる。
【００２３】
また、前記棚が前記留め具と受け具とによって前記補助手摺りに着脱可能となるようにしているから、前記棚を前記補助手摺りに比較的簡単に取り付けることが可能になるとともに、前記棚を前記補助手摺りから比較的簡単に取り外すことが可能になる。
【発明の効果】
【００２４】
本発明に係る補助手摺りによれば、その脚部の内側空間を物品置き場等として有効利用することが可能になる。
【図面の簡単な説明】
【００２５】
【図１】本発明に係る補助手摺りの一実施形態で、その全体の外観を示す斜視図である。
【図２】図１の棚単体の斜視図である。
【図３】本発明に係る補助手摺りの他の実施形態で、その全体の外観を示す斜視図である。
【図４】図３の棚単体の斜視図である。
【図５】図４の棚の一部を分解した状態を片面側から示す平面図である。
【図６】本発明に係る補助手摺りのさらに他の実施形態で、その全体の外観を示す斜視図である。
【図７】図６の棚単体の斜視図である。
【図８】図７の棚を立体化する前の状態を片面側から示す平面図である。
【図９】図８の棚を立体化する際の様子を説明するための一部を拡大して示す斜視図である。
【発明を実施するための形態】
【００２６】
以下、本発明を実施するための最良の実施形態について添付図面を参照して詳細に説明する。
【００２７】
図１および図２に、本発明の一実施形態を示している。図中、１は補助手摺りの全体を示している。
【００２８】
補助手摺り１は、人が立ち上がる際に自身の身体を手で支えるものであって、矩形ループ部２、四本の脚部３、棚４などを備えている。
【００２９】
矩形ループ部２は、上下に平行に配置される上側水平バー２１および下側水平バー２２と、上側水平バー２１および下側水平バー２２の一端側および他端側に連接されかつ左右に平行に配置される左側上下バー２３および右側上下バー２４とを有している。
【００３０】
上側水平バー２１には、人が掴みやすい太さにするための保護チューブ２５が外嵌装着されている。なお、矩形ループ部２を例えば１本の金属製の管体または棒状部材を屈曲してから両端を接合することにより形成する場合には、前記接合部分を上側水平バー２１に位置させて、当該接合部分を保護チューブ２５で隠すことにより見栄えを良くすることが可能になる。また、保護チューブ２５は、例えば半円筒形部材を二つ組み合わせたようなツーピース構造とされており、それらを円筒形に組み合わせるようにして上側水平バー２１に装着されるようになっている。この保護チューブ２５は、例えば木材で形成されているが、その他にも合成樹脂、ゴムなどで形成することが可能である。
【００３１】
四本の脚部３は、矩形ループ部２の下側水平バー２２の前後左右の四方位から下方向で斜め外向きに延びて裾広がりになるように取り付けられている。
【００３２】
この四本の脚部３は、例えば二本の金属製の管体または棒状部材をそれぞれ長手方向中央で逆さＶ字形に二つ折りに屈曲して、その屈曲起点部分を下側水平バー２２にそれぞれ接合することにより製作される。このような製作方法によれば、二本ずつ合計四本の脚部３が得られるのである。
【００３３】
棚４は、四本の脚部３で囲まれる内部空間において上下方向の途中に着脱可能に設けられるものであって、例えばティッシュボックス、眼鏡、携帯電話などの物品が載せられるようになっている。
【００３４】
この棚４は、例えば図１および図２に示すように、一枚の矩形状のシート４１と、二つの帯状紐４２と、留め具４４としての凹状のホックボタンと、受け具４５としての凸状のホックボタンとを用いて製作される。
【００３５】
具体的に、シート４１は、例えば布で形成されているが、その他にも可撓性を有する合成樹脂などで形成することが可能である。
【００３６】
そして、図２に示すように、シート４１の片面（裏面）において対向する第１、第２の横辺それぞれの内側に二つの帯状紐４２ａ，４２ｂを沿わせるとともに、当該二つの帯状紐４２ａ，４２ｂの各両端を前記第１、第２の横辺に直交する第３、第４の縦辺よりも外側に突出させるように配置しておいて、二つの帯状紐４２ａ，４２ｂをシート４１に縫い付け、二つの帯状紐４２ａ，４２ｂの露呈面において前記各両端の突出部分４３に留め具４４としての凹状のホックボタンを取り付け、二つの帯状紐４２ａ，４２ｂの露呈面において前記突出部分４３から内側に離隔する内側位置に受け具４５としての凸状のホックボタンを取り付けることにより、棚４が製作される。
【００３７】
なお、前記二つの帯状紐４２ａ，４２ｂの各両端の突出部分４３が、特許請求の範囲に記載の「取付片」に相当している。
【００３８】
また、留め具４４および受け具４５は、前記各両端の突出部分４３を各脚部３に個別に巻き付け装着した状態を保つように互いにスナップフィットにより離脱可能に係止されるようになっている。
【００３９】
さらに、留め具４４および受け具４５については、前記とは反対に留め具４４を凸状のホックボタンに、また、受け具４５を凹状のホックボタンにすることが可能である。
【００４０】
図３から図５には本発明の他の実施形態を示している。棚４は、図３図４に示すように、一枚の矩形状のシート４１と、二つの帯状紐４２と、留め具４４としての長方形のフック状面ファスナーと、受け具４５としての長方形のループ状面ファスナーとを用いて製作される。
【００４１】
具体的に、図５に示すように、シート４１の片面（裏面）において対向する第１、第２の横辺それぞれの内側に二つの帯状紐４２ａ，４２ｂを沿わせるとともに、当該二つの帯状紐４２ａ，４２ｂの各両端を前記第１、第２の横辺に直交する第３、第４の縦辺よりも外側に突出させるように配置しておいて、二つの帯状紐４２ａ，４２ｂをシート４１に縫い付け、二つの帯状紐４２ａ，４２ｂの露呈面において前記各両端の突出部分４３に留め具４４としての長方形のフック状面ファスナーを縫い付け、二つの帯状紐４２ａ，４２ｂの露呈面において前記突出部分４３から内側に離隔する内側位置に受け具４５としての長方形のループ状面ファスナーを縫い付けることにより、棚４が製作される。
【００４２】
なお、留め具４４および受け具４５は、前記各両端の突出部分４３を各脚部３に個別に巻き付け装着した状態を保つように互いに圧接させることにより離脱可能に係止されるようになっている。  また、留め具４４をフック状面ファスナー、受け具４５をループ状面ファスナーとした例を挙げているが、本発明はこれのみに限定されるものではなく、例えば前記とは反対に留め具４４をループ状面ファスナーに、また、受け具４５をフック状面ファスナーにすることが可能である。この他、図示していないが、留め具４４と受け具４５との両方を、フックとループとが植え込まれたタイプの面ファスナーにすることが可能である。
【００４３】
次に、図１から図５に示した棚４を補助手摺り１に取り付ける手順について説明する。
【００４４】
図１または図３に示すように、四本の脚部３で囲まれる内部空間に棚４のシート４１を地面に水平となるように差し入れ、このシート４１の四つの突出部分４３を一つずつ順に四本の脚部３に個別に巻き付けるようにループさせてから、当該突出部分４３の留め具４４を帯状紐４２ａ，４２ｂの受け具４５に重ね合わせて係止させるようにする。
【００４５】
このようにして棚４を四本の脚部３に取り付けると、図１または図３に示すように、シート４１が側面視でＵ字形に湾曲されるような状態で設置されるようになる。これにより、シート４１の上面に例えばティッシュボックス、眼鏡、携帯電話などの物品を載せることが可能になる。
【００４６】
この状態では、前記物品の重みによって棚４が下向きの荷重を受けることと、四つの脚部３がそれぞれ斜め外向きになっていることとの相乗作用により、四本の脚部３に個別に巻き付けた突出部分４３がずり下がらずに済むようになる。
【００４７】
一方、前記のようにして取り付けた棚４を補助手摺り１から取り外す場合には、四つの突出部分４３を伸ばすように引っ張ることにより、その留め具４４を帯状紐４２ａ，４２ｂの受け具４５から引き剥がすように離脱させればよい。
【００４８】
以上説明したように本発明を適用した実施形態の補助手摺り１によれば、棚４のシート４１上に、本発明に係る補助手摺り１を利用する人（例えば高齢者や身体障害者）に関係する物品（例えばティッシュボックス、眼鏡、携帯電話など）を載せることが可能になる。
【００４９】
これにより、四本の脚部３で囲まれる内部空間に前記物品をまとめて配置することが可能になるから、補助手摺り１を利用する人の使い勝手が向上する他、上記「発明が解決するための課題」において説明したように補助手摺り１の近傍に収納体などの邪魔な物を配置する必要が無くなる。
【００５０】
また、棚４が留め具４４と受け具４５とによって補助手摺り１に着脱可能となるようにしているから、棚４を補助手摺り１に比較的簡単に取り付けることが可能になるとともに、棚４を補助手摺り１から比較的簡単に取り外すことが可能になる。
【００５１】
また、棚４がシート４１と二つの帯状紐４２と留め具４４および受け具４５とによって比較的簡単かつ安価に製作されるものであるので、補助手摺り１の製作コストの上昇を抑制するうえで有利になる。
【００５２】
なお、本発明は、上記実施形態のみに限定されるものではなく、特許請求の範囲内および当該範囲と均等の範囲内で適宜に変更することが可能である。
【００５３】
（１）上記実施形態では、帯状紐４２ａ，４２ｂの両端の突出部分４３を取付片とした例を挙げているが、本発明はこれのみに限定されるものではない。  例えば図示していないが、帯状紐４２ａ，４２ｂを用いずに、前記突出部分４３に相当する大きさの取付片をシート４１の四つ角部位に取り付けるようにしてもよい。
【００５４】
（２）上記実施形態に示す棚４の他例を例えば図４から図７に示している。この棚４は、図５に示すように、有底角筒形状に形成されている。つまり、棚４の矩形状のシート４１の４辺にはそれぞれ立壁部４６ａ，４６ｂ，４６ｃ，４６ｄが立ち上げられていて、それらが互いに結合されている。
【００５５】
このような棚４を製作する手順を説明する。
【００５６】
図６に示すように、矩形状のシート４１の第１、第２の横辺および第３、第４の縦辺それぞれの内側に所定寸法入り込んだ位置を一点鎖線で示す第１、第２折り曲げ線１０１，１０２および第３、第４折り曲げ線１０３，１０４に沿って９０度谷折りしながら、図７に示すように、第１、第２折り曲げ線１０１，１０２の両端部分１０１ａ，１０１ｂ，１０２ａ，１０２ｂと第３、第４折り曲げ線１０３，１０４の両端部分１０３ａ，１０３ｂ，１０４ａ，１０４ｂと、を重ね合わせるように矩形状のシート４１の四つの角部の一点鎖線で示す第５〜第８折り曲げ線１０５〜１０８を１８０度谷折りさせることにより四つの立壁部４６ａ〜４６ｄを作るとともに、前記重ね合わせた第１、第２折り曲げ線１０１，１０２の両端部分１０１ａ，１０１ｂ，１０２ａ，１０２ｂと第３、第４折り曲げ線１０３，１０４の両端部分１０３ａ，１０３ｂ，１０４ａ，１０４ｂと、を縫い合わせて結合することにより四つの立壁部４６ａ〜４６ｄの四つの角部に外向きに二等辺三角形のような形状で突出する部分（取付片）４３を作る。
【００５７】
この後、前記四つの突出部分４３に留め具４４を取り付けるとともに、四つの立壁部４６ａ〜４６ｄのうちの横方向寸法の短い二つの立壁部４６ｂ，４６ｄの両端に受け具４５を取り付ける。これにより、図５に示すような棚４が完成する。ここでの留め具４４は凹状のホックボタンとされ、また、受け具４５は凸状のホックボタンとされていて、それらがスナップフィットにより離脱可能に係止されるタイプとされている。
【００５８】
次に、棚４を補助手摺り１の四つの脚部３に取り付ける手順を説明する。
【００５９】
四本の脚部３で囲まれる内部空間に棚４のシート４１の底面部分を地面に水平となるように差し入れ、前記四つの突出部分４３を一つずつ順に四本の脚部３に個別に巻き付けるようにループさせてから、当該突出部分４３の留め具４４を横方向寸法の短い二つの立壁部４６ｂ，４６ｄの受け具４５に係止させればよい。
【００６０】
この実施形態では、上記実施形態とほぼ同様の作用、効果が得られることに加えて、棚４が有底角筒形状になっているから、その内側に例えばティッシュボックス、眼鏡、携帯電話などの物品をすっぽりと収納することが可能になる。それに伴い当該収納した物品が棚４の外にこぼれ落ちにくくなる。
【００６１】
（３）上記実施形態では、矩形ループ部２を備える補助手摺り１を例に挙げているが、本発明はこれのみに限定されるものではなく、図示していないが、例えば矩形ループ部２の代わりに単一の水平バーのみを備える構成とすることが可能である。
【産業上の利用可能性】
【００６２】
本発明は、人が立ち上がる際に自身を支えるように手で掴むための補助手摺りに好適に利用することが可能である。
【符号の説明】
【００６３】
１  補助手摺り
２  矩形ループ部
２１  上側水平バー
２２  下側水平バー
２３  左側上下バー
２４  右側上下バー
２５  保護チューブ
３  脚部
４  棚
４１  シート
４２ａ，４２ｂ  帯状紐
４３  突出部分（取付片）
４４  留め具
４５  受け具
【図１】
2019042197.tif 000003
【図２】
2019042197.tif 000004
【図３】
2019042197.tif 000005
【図４】
2019042197.tif 000006
【図５】
2019042197.tif 000007
【図６】
2019042197.tif 000008
【図７】
2019042197.tif 000009
【図８】
2019042197.tif 000010
【図９】
2019042197.tif 000011